(57)【要約】【課題】風向変更パネルの結露を防止することが可能な空気調和機を提供する。【解決手段】送風機２、熱交換器３、ドレン水受け皿５、吹出口１ｂに取付けられた風向変更パネル９および熱交換器３の風下側のドレン水受け皿５の略半分５ａが吹出口１ｂ側から熱交換器３側に移動し、第２の吹出口１３を形成するドレン排水機構を備えた空気調和機１であって、風向変更パネル９は固定スリットパネル９ａと可動スリットパネル９ｂから構成されるスリット機構を設けた構成としてある。この構成により結露防止が必要なときはパネルのスリットを開とすることにより、冷房または除湿運転時の風向変更パネル９の結露を防止することができる。【選択図】図４
2009264601.tif 000002
【特許請求の範囲】
【請求項１】
送風機、熱交換器、ドレン水受け皿、吹出口に取付けられた風向変更パネルを備えた空気調和機であって、前記風向変更パネルは固定スリットパネルと可動スリットパネルから構成される可動機構を設けたことを特徴とする空気調和機。
【請求項２】
送風機、熱交換器、ドレン水受け皿、吹出口に取付けられた風向変更パネルおよび前記熱交換器の風下側の前記ドレン水受け皿の略半分が前記吹出口側から前記熱交換器側に移動し、第２の吹出口を形成するドレン排水機構を備えた空気調和機であって、前記風向変更パネルは固定スリットパネルと可動スリットパネルから構成される可動機構を設けたことを特徴とする空気調和機。
【請求項３】
可動スリットパネルは、伸縮自在のパネル駆動アームに取り付けられ、前記パネル駆動アームをパネル駆動装置で駆動することを特徴とする請求項１または２に記載の空気調和機。
【請求項４】
固定スリットパネルの背面かつ前記可動スリットパネルの先端側にパネル停止装置を設けることを特徴とする請求項１〜３のいずれか１項に記載の空気調和機。
【請求項５】
冷房および除湿運転開始後、熱交温度がある温度以下で前記可動スリットパネルがパネル停止装置に接触するまで移動させることを特徴とする請求項１〜４のいずれか１項に記載の空気調和機。
【請求項６】
冷房および除湿運転停止後、内部乾燥運転時、前記可動スリットパネルがパネル停止装置に接触するまで移動することを特徴とする請求項１〜５のいずれか１項に記載の空気調和機。
【発明の詳細な説明】
【技術分野】
【０００１】
本発明は風向変更パネルの結露を防止することが可能な空気調和機に関するものである。
【背景技術】
【０００２】
図８は、従来の空気調和機の一例を示す概略図である。図８において、空気調和機本体１内には、送風機２や熱交換器３等が収容され取付けられている。冷房時の熱交換により生じるドレン水をドレン水受け皿５に貯溜し、吸込み口が常に下向きになるように可変するドレンポンプ１４を有することにより、ドレン水を強制的に屋外へ排出する構成にしている（例えば、特許文献１参照）。
【特許文献１】特開２００６−２５８３４１号公報
【発明の開示】
【発明が解決しようとする課題】
【０００３】
しかしながら、特許文献１の従来技術では、冷房または除湿運転時に吹出口の風向変更パネル（羽根）９の周辺の湿った空気の巻き込みにより、風向変更パネル（羽根）９に結露が発生するという課題を有していた。
【０００４】
本発明は、前記従来の課題を解決するもので、風向変更パネル（羽根）の結露を防止することが可能な空気調和機を提供することを目的とする。
【課題を解決するための手段】
【０００５】
本発明は、前記従来の課題を解決するために、送風機、熱交換器、ドレン水受け皿、吹出口に取付けられた風向変更パネルを備えた空気調和機であって、前記風向変更パネルは固定スリットパネルと可動スリットパネルから構成される可動機構を設けた構成としてある。
【０００６】
上記構成により、吹き出される空気の一部は開スリットを通過することになるから風向変更パネルの周辺の湿った空気の巻き込みが減少することができ、空気の巻き込みによる結露を防止できる。
【発明の効果】
【０００７】
本発明の空気調和機は、冷房または除湿運転時の風向変更パネルの結露を防止することができる。
【発明を実施するための最良の形態】
【０００８】
第１の発明は、送風機、熱交換器、ドレン水受け皿、吹出口に取付けられた風向変更パネルを備えた空気調和機であって、前記風向変更パネルは固定スリットパネルと可動スリットパネルから構成される可動機構を設けた構成としてあり、冷房または除湿運転時の風向変更パネルの結露を防止することができる。
【０００９】
第２の発明は、送風機、熱交換器、ドレン水受け皿、吹出口に取付けられた風向変更パネルおよび前記熱交換器の風下側の前記ドレン水受け皿の略半分が前記吹出口側から前記熱交換器側に移動し、第２の吹出口を形成するドレン排水機構を備えた空気調和機であって、前記風向変更パネルは固定スリットパネルと可動スリットパネルから構成される可動機構を設けた構成としてあり、冷房または除湿運転時の風向変更パネルの結露を防止することができる。
【００１０】
第３の発明は、可動スリットパネルは、伸縮自在のパネル駆動アームに取り付けられ、前記パネル駆動アームをパネル駆動装置で駆動する構成としてあり、簡単な機構で可動スリットパネルを動かすことができ、パネル駆動アームをコンパクトに収納することができる。
【００１１】
第４の発明は、固定スリットパネルの背面かつ前記可動スリットパネルの先端側にパネル停止装置を設けた構成としてあり、可動スリットパネルの移動範囲を規制し、可動スリットパネルの停止を制御することができる。
【００１２】
第５の発明は、冷房および除湿運転開始後、熱交温度がある温度以下で前記可動スリットパネルがパネル停止装置に接触するまで移動させる構成としてあり、冷房または除湿運転の必要な時に可動スリットパネルを移動させることができて、風向変更パネルの結露を防止することができる。
【００１３】
第６の発明は、冷房および除湿運転停止後、内部乾燥運転時、前記可動スリットパネルがパネル停止装置に接触するまで移動する構成としてあり、内部乾燥運転時は、冷凍サイクルの高圧上昇を防止することができ、連続運転することができる。
【００１４】
以下、本発明の実施の形態について、図面を参照しながら説明する。なお、この実施の形態によって本発明が限定されるものではない。
【００１５】
（実施の形態１）
図１は本発明の実施の形態１における空気調和機の平面概略断面図、図２および図３の（ａ）（ｂ）は図１におけるＡ−Ａ線から矢印方向を見た風向変更パネル９の縦断面図とＢから矢印方向を見た風向変更パネル９の正面図、図４は暖房運転時の空気調和機の縦断面図、図５は冷房・除湿・送風時の空気調和機の縦断面図、図６は停止時の空気調和機の縦断面図、図７は内部乾燥時の空気調和機の縦断面図である。
【００１６】
図１において、１は本体、２は送風機、３は熱交換機、４は冷媒配管、５はドレン水受皿、６ａ（図４参照）はドレン穴、６ｂはドレン栓、７はドレンホース、８（図４参照）はシール材、９は風向変更パネル、１０は伸縮アーム、１１はアーム駆動装置、１２はドレン水受け皿停止装置（リミットスイッチ）、１３（図４参照）は第２の吹出口（暖房運転時）である。
【００１７】
図２において、風向変更パネル９は、固定スリットパネル９ａ、可動スリットパネル９ｂ、パネル駆動装置９ｃ、パネル駆動アーム９ｄおよびパネル停止装置９ｅから構成されている。また、図２はスリット閉の状態を示している。
【００１８】
図３はスリット開の状態を示している。可動スリットパネル９ｂが伸縮自在のパネル駆動アーム９ｄに取り付けられ、パネル駆動アーム９ｄを動かすパネル駆動装置９ｃを設けることにより、簡単な機構で可動スリットパネル９ｂを上下方向に動かすことができ、パネル駆動アーム９ｄをコンパクトに収納することができる。
【００１９】
また、固定スリットパネル９ａの背面かつ可動スリットパネル９ｂの先端側にパネル停止装置（リミットスイッチ）９ｅを設けることにより、可動スリットパネル９ｂの移動範囲を規制し、可動スリットパネル９ｂの停止を制御することができる。
【００２０】
図４および図５にて明らかなように、前面側吹出口１ｂの風下側に風向変更パネル９を設けることにより、暖房・冷房・除湿・送風運転時に風向を調整することができる。
【００２１】
ドレン水受け皿５は、可動側ドレン水受け皿５ａと固定側ドレン水受け皿５ｂに分割されている。可動側ドレン水受け皿５ａが伸縮自在の伸縮アーム１０に取り付けられ、伸縮アーム１０を動かすアーム駆動装置１１を設けることにより、簡単な機構で可動側ドレン水受け皿５ａを左右方向に動かすことができ、伸縮アーム１０をコンパクトに収納することができる。なお、吹出口１ｂと熱交換器３の間にドレン水受け皿停止装置（リミットスイッチ）１２を設けてある。
【００２２】
上記構成において、この空気調和機は、暖房運転時は圧縮機（図示せず）起動および送風機２運転前に可動側ドレン水受け皿５ａが熱交換器３側（図４中左側）へ移動し、熱交換器３側のドレン水受け皿停止装置（リミットスイッチ）１２に当たり、停止することにより、第２の吹出口１３が形成される。その後、圧縮機が起動および送風機２が運転される。従来の吹出口１ｂが第２の吹出口１３になり、暖められた吹出空気は天井付近に滞留せず、例えば、床に座っている人に暖められた吹出空気を届かすことができ、足元暖房感（快適性）を向上することができる。
【００２３】
また、冷房・除湿運転あるいは乾燥運転、あるいは停止後に暖房運転に切り替えた時は、可動側ドレン水受け皿５ａが熱交換器３側へ移動することにより、水受け皿容積が減少してドレン水位があがり、その分、ドレン穴６ａを介してドレン水を排出することができる。
【００２４】
すなわち、冷房・除湿運転あるいは乾燥運転、あるいは停止後に暖房運転に切り替えると、アーム駆動装置１１が運転開始し、可動側ドレン水受け皿５ａが熱交換器３側へ移動して水受け皿容積が減少し、熱交換器３の風下側のドレン水受皿５ａに溜まるドレン水を熱交換器３側に移動させ、可動側ドレン水受け皿５ａは熱交換器３側のドレン水受け皿停止装置（リミットスイッチ）１２に当たり、停止する。その後、可動側ドレン水受け皿５ａは吹出口１ｂ側（図中右側）に移動し、吹出口１ｂ側のドレン水受け皿停止装置（リミットスイッチ）１２に当たって停止し、初期の位置に戻る。以上の動作により、熱交換器３の風下側のドレン水受皿５ａに溜まるドレン水を排出することができる。
【００２５】
ここでこの空気調和機は、冷房および除湿運転開始後、熱交温度がある温度を超える場合は、可動スリットパネル９ｂは移動せず、スリット閉の状態（図２）になる。また、熱交温度がある温度以下の場合は、可動スリットパネル９ｂがパネル停止装置（リミットスイッチ）９ｅに接触するまで移動し、スリット開の状態（図３および図５）になる（熱交温度を検知して制御部がパネル駆動装置を駆動するようにしてある）。これによって、吹き出される空気の一部は開スリットを通過することになるから風向変更パネル９の周辺の湿った空気の巻き込みが減少することができる。すなわち、冷房または除湿運転の結露防止が必要な時に可動スリットパネル９ｂを移動させることができ、風向変更パネル９の結露を防止することができる。
【００２６】
また、冷房および除湿運転停止後、乾燥（暖房サイクル）運転をする場合は、可動スリットパネル９ｂがパネル停止装置（リミットスイッチ）９ｅに接触するまで移動することにより、スリット開の状態（図３および図７）になるため、冷凍サイクルの高圧上昇を防止することができ、連続運転することができる。
【産業上の利用可能性】
【００２７】
以上のように、本発明にかかる空気調和機は、冷房または除湿運転時の風向変更パネルの結露を防止することができるので、埋込み形の室内ユニット装置（例えばダクト形エアコン）等の用途にも適用できる。
【図面の簡単な説明】
【００２８】
【図１】本発明の実施の形態１における空気調和機の平面概略断面図
【図２】（ａ）図１におけるＡ−Ａ線から矢印方向を見た風向変更パネルの縦断面図（ｂ）同正面図（スリット閉時）
【図３】（ａ）図１におけるＡ−Ａ線から矢印方向を見た風向変更パネルの縦断面図（ｂ）同正面図（スリット開時）
【図４】同実施の形態１における暖房運転時の空気調和機の縦断面図
【図５】同実施の形態１における冷房・除湿・送風時の空気調和機の縦断面図
【図６】同実施の形態１における停止時の空気調和機の縦断面図
【図７】同実施の形態１における内部乾燥時の空気調和機の縦断面図
【図８】従来の空気調和機の縦断面図
【符号の説明】
【００２９】
１  空気調和機（室内機本体）
１ａ  吸込口
１ｂ  吹出口
２  送風機
２ａ  ファン
２ｂ  モータ
３  熱交換器
３ａ  固定板
３ｂ  固定板
４  冷媒配管
５  ドレン水受皿
５ａ  可動側ドレン水受皿
５ｂ  固定側ドレン水受皿
６ａ  ドレン穴
６ｂ  ドレン栓
７  ドレンホース
８  シール材
９  風向変更パネル
９ａ  固定スリットパネル
９ｂ  可動スリットパネル
９ｃ  パネル駆動装置
９ｄ  パネル駆動アーム
９ｅ  パネル停止装置（リミットスイッチ）
１０  伸縮アーム
１１  アーム駆動装置
１２  ドレン水受け皿停止装置（リミットスイッチ）
１３  第２の吹出口（暖房運転時）
１４  ドレンポンプ
１４ａ  ドレンポンプ回転部
１５  ドレンパイプ
【図１】
2009264601.tif 000003
【図２】
2009264601.tif 000004
【図３】
2009264601.tif 000005
【図４】
2009264601.tif 000006
【図５】
2009264601.tif 000007
【図６】
2009264601.tif 000008
【図７】
2009264601.tif 000009
【図８】
2009264601.tif 000010